(57)【要約】【課題】設置部材に画成された空間に不正部品が設置されるのを防止し得る遊技機を提供する。【解決手段】板部材の裏側に配設される設置部材２０に、後方に開口するセンサ用収容空間４６を画成するセンサ収容部４５が設けられる。センサ用収容空間４６には、センサ収容部４５の前側に位置する第１球通路部材４２に配設した普通入賞センサ２９および磁気センサ４７の後部が収容される。センサ収容部４５に、センサ用収容空間４６を埋めて該空間４６への不正部品の取り付けを防止する不正防止部材５８が取り付けられる。不正防止部材５８に、被固定部６１が設けられる。不正防止部材５８の後側には、制御装置６４が、被固定部６１に固定具６９を係止することで取り付けられる。【選択図】図９
2014239775.tif 000002
【特許請求の範囲】
【請求項１】
遊技球が流下可能な遊技領域が画成された板部材と、該板部材の後側に配設された設置部材とを備えた遊技機において、
前記設置部材に形成されて、電気部品を収容可能な空間を画成すると共に、後方に開口する収容部と、
前記収容部に形成されて、前記電気部品を空間内に臨ませる開口部と、
前記収容部に配設され、前記空間を埋めて該空間への不正部品の取り付けを防止する不正防止部材と、
前記不正防止部材に設けられた被固定部と、
前記不正防止部材の後側に着脱自在な遊技機構成部材とを備え、
前記遊技機構成部材は、前記被固定部に係止手段を係止することで不正防止部材に取り付けられるよう構成される
ことを特徴とする遊技機。
【請求項２】
前記遊技機構成部材に、前記設置部材に設けた被位置決め部に係脱自在な位置決め部が設けられ、該遊技機構成部材は、位置決め部を被位置決め部に係合して位置決めした状態で、前記係止手段を被固定部に係止することで前記不正防止部材に取り付けられるよう構成される請求項１記載の遊技機。
【請求項３】
前記不正防止部材は、前記空間の開口を塞ぐ基部と、該基部から延出して該空間の内側面に対向する側壁部とを備え、前記基部に、前記遊技機構成部材が当接する支持部が突設され、該支持部側に偏って前記被固定部が設けられると共に、該支持部には複数の補強リブが設けられる請求項１または２記載の遊技機。
【請求項４】
前記不正防止部材に設けられて該不正防止部材を前記収容部に取り付ける取付部が、不正防止部材の後側に取り付けられる前記遊技機構成部材で覆われるように位置している請求項１〜３の何れか一項に記載の遊技機。
【発明の詳細な説明】
【技術分野】
【０００１】
この発明は、遊技球が流下可能な遊技領域が画成された板部材と、前方に開放する箱状に形成されて該板部材との間に各種遊技機構成部材が取り付けられた設置部材とを備えた遊技機に関するものである。
【背景技術】
【０００２】
例えば、遊技機の代表例の一つであるパチンコ機は、特許文献１に示すように、機内にセットされる遊技盤の盤面にパチンコ球が打出される遊技領域が画成されている。遊技盤の後側には、設置部材が配設され、該設置部材に、各種図柄を変動表示して図柄変動演出を行う液晶表示装置が配設される。また、前記遊技盤には、液晶表示装置の下方位置に、該液晶表示装置での図柄変動演出を開始させる契機となる始動入賞装置が配設されている。前記遊技領域を流下するパチンコ球が、始動入賞装置に設けた始動口に入賞することで、液晶表示装置での図柄変動演出を開始させると共に、パチンコ球を賞球として払い出すよう構成されている。そして、前記図柄表示装置の表示部に所定の図柄が停止表示されると、大当り遊技状態を発生させて、遊技者に多くの賞球を獲得するチャンスを与えるようになっている。また、前記遊技盤には、パチンコ球が入賞可能な一般入賞口を備えた一般入賞装置が配設されており、該一般入賞口にパチンコ球が入賞すると、所定数の賞球が遊技者に払い出される。
【０００３】
前記設置部材は、前記遊技盤に対向する対向面部(対向面壁)と、該対向面部の周縁部から前方へ延出する壁部(画壁)とから前方に開放する箱状に形成され、該設置部材を遊技盤の後面に配設した際に、対向面部および遊技盤の間に所要の設置空間が画成される。そして、近年のパチンンコ機では、前記対向面部の前側に、遊技状態に合わせて可動演出を行う可動演出装置や発光演出を行う発光演出装置等が前記設置空間に臨むよう配設されて、前記図柄表示装置の図柄変動演出に伴って各演出装置が可動演出または発光演出をすることで、遊技の興趣向上を図っている。また、前記対向面部の前側に、前記一般入賞口に入賞したパチンコ球が流下する球通路が画成された通路部材や、不正な磁気を検出する磁気センサ等、各種の遊技機構成部材を配設することも行われている。
【先行技術文献】
【特許文献】
【０００４】
【特許文献１】特開２０１０−２７３９０８号公報
【発明の概要】
【発明が解決しようとする課題】
【０００５】
前記設置部材の対向面部に、各種の遊技機構成部材を配設するよう構成する場合は、対向面部は、これら構成部材の形状やサイズ等に合わせて凹凸状に形成される。ところが、対向面部を凹凸状に形成すると、該対向面部に後方に開放した空間が画成されてしまい、当該空間を利用して、前記始動入賞装置を誤作動させたり、パチンコ機の制御装置に予め設定された制御条件とは異なる制御条件で演出を実行させたりする不正部品が設置される虞がある。しかも、対向面部の後側には、制御装置や中継基板等が配設されるため、前述した空間に配設した不正部品が見え難くなって、不正行為が継続して行われてしまう問題もある。
【０００６】
そこで、本発明は、従来の技術に係る遊技機に内在する前記課題に鑑み、これを好適に解決するべく提案されたものであって、設置部材に画成された空間に不正部品が設置されるのを防止し得る遊技機を提供することを目的とする。
【課題を解決するための手段】
【０００７】
前記課題を解決するために、本願の請求項１に記載の発明では、
遊技球が流下可能な遊技領域(13a)が画成された板部材(13)と、該板部材(13)の後側に配設された設置部材(20)とを備えた遊技機において、
前記設置部材(20)に形成されて、電気部品(29,47)を収容可能な空間(46)を画成すると共に、後方に開口する収容部(45)と、
前記収容部(45)に形成されて、前記電気部品(29,47)を空間(46)内に臨ませる開口部(45b)と、
前記収容部(45)に配設され、前記空間(46)を埋めて該空間(46)への不正部品の取り付けを防止する不正防止部材(58)と、
前記不正防止部材(58)に設けられた被固定部(61)と、
前記不正防止部材(58)の後側に着脱自在な遊技機構成部材(64)とを備え、
前記遊技機構成部材(64)は、前記被固定部(61)に係止手段(69)を係止することで不正防止部材(58)に取り付けられるよう構成されることを要旨とする。
【０００８】
請求項１の発明によれば、空間を埋める不正防止部材を収容部に配設するよう構成したので、該空間に不正部品が取り付けられるのを防止することができる。また、遊技機構成部材を取り付けるための被固定部を不正防止部材に設けているので、不正防止部材を取り外した状態では遊技機構成部材を取り付けることはできず、遊技機構成部材が取り付けられていないことで不正行為を発見することが容易となる。
【０００９】
請求項２に記載の発明では、前記遊技機構成部材(64)に、前記設置部材(20)に設けた被位置決め部(52)に係脱自在な位置決め部(65a)が設けられ、該遊技機構成部材(64)は、位置決め部(65a)を被位置決め部(52)に係合して位置決めした状態で、前記係止手段(69)を被固定部(61)に係止することで前記不正防止部材(58)に取り付けられるよう構成されることを要旨とする。
請求項２の発明によれば、遊技機構成部材を設置部材に対して正しく取り付けることができる。
【００１０】
請求項３に記載の発明では、前記不正防止部材(58)は、前記空間(46)の開口(46a)を塞ぐ基部(59)と、該基部(59)から延出して該空間(46)の内側面(56a,56b,56c,56d)に対向する側壁部(60a,60b,60c,60d)とを備え、前記基部(59)に、前記遊技機構成部材(64)が当接する支持部(59c)が突設され、該支持部(59c)側に偏って前記被固定部(61)が設けられると共に、該支持部(59c)には複数の補強リブ(59f)が設けられることを要旨とする。
請求項３の発明によれば、被固定部が設けられる基部の強度を向上することができ、遊技機構成部材を安定して取り付けることができる。
【００１１】
請求項４に記載の発明では、前記不正防止部材(58)に設けられて該不正防止部材(58)を前記収容部(45)に取り付ける取付部(62)が、不正防止部材(58)の後側に取り付けられる前記遊技機構成部材(64)で覆われるように位置していることを要旨とする。
請求項４の発明によれば、遊技機構成部材を取り外さない限り不正防止部材を収容部から取り外すことができないので、不正行為を抑制することができる。
【発明の効果】
【００１２】
本発明に係る遊技機によれば、収容部の空間に不正部品が取り付けられるのを好適に防止し得る。
【図面の簡単な説明】
【００１３】
【図１】実施例に係るパチンコ機を示す正面図である。
【図２】実施例に係る遊技盤の正面図である。
【図３】実施例に係る設置部材を、球通路部材を取り付けた状態で前側から見た概略斜視図である。
【図４】実施例に係る設置部材を前側から見た要部概略斜視図であって、第１球通路部材を分解した状態で示している。
【図５】実施例に係る設置部材を後側から見た要部概略斜視図である。
【図６】実施例に係る設置部材から不正防止部材および制御装置を分解した状態を後側から見た要部概略斜視図である。
【図７】実施例に係る不正防止部材を前側から見た概略斜視図である。
【図８】実施例に係る制御装置を前側から見た概略斜視図であって、制御基板は図示省略してある。
【図９】図５のＡ−Ａで示す設置部材の縦断側面図である。
【発明を実施するための形態】
【００１４】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機１０について)
実施例に係るパチンコ機１０は、図１に示すように、全体として縦長の矩形状に構成されており、遊技者がパチンコ機１０の前面に向かう姿勢でパチンコ遊技を行うことができるよう、パチンコ球の発射操作を行うための操作ハンドル１７が前面右下部に設けられている。このパチンコ機１０には、矩形枠状に形成されて遊技店の図示しない設置枠台に固定される固定枠としての外枠１１の開口前面側に、後述する遊技盤Ｍ(図２参照)を着脱可能に保持する本体枠としての中枠１２が開閉および着脱可能に組付けられると共に、遊技盤Ｍの後側に、図柄を変動表示可能な図柄表示装置１８(図２参照)が着脱し得るよう配設されている。また、中枠１２の前面側には、遊技盤Ｍを透視可能に保護する透明板１４ａを窓部に備えた装飾枠としての前枠１４が開閉可能に組付けられると共に、該前枠１４の下方にパチンコ球を貯留する下球受け皿１６が開閉可能に組付けられる。なお、実施例では、前枠１４の下部位置に、パチンコ球を貯留する上球受け皿１５が一体的に組付けられており、前枠１４の開閉に合わせて上球受け皿１５も一体的に開閉するよう構成される。また実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１６】
前記前枠１４には、図１に示す如く、下球受け皿１６の右側方に、前記中枠１２に配設された打球発射装置(図示せず)を作動する前記操作ハンドル１７が設けられる。この操作ハンドル１７は、左回転方向に付勢された操作レバー１７ａを備えており、該操作レバー１７ａを右回転するよう遊技者が回動操作することで、中枠１２に配設された図示しない打球発射装置が作動されて、前記上球受け皿１５に貯留されたパチンコ球が前記遊技盤Ｍに向けて発射されるようになっている。また、前枠１４の上部に、音声や効果音を出力可能なスピーカ１９が配設されており、該スピーカ１９から適宜の音声を出力することで、前記図柄表示装置１８での図柄変動演出に合わせて音声演出を行い得るよう構成されている。
【００１７】
(遊技盤Ｍについて)
前記遊技盤Ｍは、図２に示すように、前面(盤面)にパチンコ球が流下可能な遊技領域１３ａが画成されたベニヤ板からなる平板状の板部材１３と、該板部材１３の裏側に、光透過性の合成樹脂材により前方へ開口した箱状に形成されて、前記図柄表示装置１８や可動演出装置等が配設される設置部材２０とから構成されている。板部材１３および設置部材２０は、正面視における外郭形状が略整合する大きさおよび形状に形成されて、板部材１３の後面に設置部材２０を取着した状態で、設置部材２０が板部材１３の後面を全面的に覆うよう構成されている。なお、板部材１３をアクリルやポリカーボネート等の合成樹脂材により光透過性を有するよう形成してもよい。この場合には、設置部材２０を不透明な合成樹脂材により形成することで、裏側の構成をパチンコ機１０前方から視認し難くしておくことが好ましい。
【００１８】
前記板部材１３(遊技盤Ｍ)の前面には、図２に示す如く、円弧状に形成した案内レール２１が配設されると共に、該案内レール２１の右方位置に、左端縁が右方に凹む円弧状に形成した盤面飾り部材２２が配設される。そして、案内レール２１および盤面飾り部材２２により遊技領域１３ａが略円形状に画成され、該遊技領域１３ａ内に、前記打球発射装置から発射されたパチンコ球が打ち出され、該遊技領域１３ａ内をパチンコ球が流下して遊技が行われる。また、板部材１３(遊技盤Ｍ)の遊技領域１３ａ内には、多数の遊技釘が植設されており、該遊技釘との接触により遊技領域１３ａを流下するパチンコ球の流下方向が不規則に変化するよう構成してある。
【００１９】
前記遊技盤Ｍには、図２に示す如く、後述する枠状装飾体３１の下縁より下方位置に、前記遊技領域１３ａを流下するパチンコ球が入賞可能な始動入賞装置２３および特別入賞装置２４等が配設される。始動入賞装置２３には、遊技領域１３ａを流下するパチンコ球が入賞可能な始動入賞口が設けられると共に、該始動入賞口へ入賞したパチンコ球を検出する始動入賞センサ(図示せず)が設けられている。始動入賞センサは、後述する中継基板４８を介して主制御装置(図示せず)に配線接続されており、始動入賞センサによるパチンコ球の検出を契機として前記図柄表示装置１８の表示部１８ａで図柄変動が開始されると共に、所定数のパチンコ球が賞球として前記上下の球受け皿１５,１６に払い出される。また、前記特別入賞装置２４は、特別入賞口が開閉扉で常には閉鎖されており、前記図柄表示装置１８での図柄変動の結果、図柄表示装置１８の表示部１８ａに所定の図柄組み合わせ(例えば同一図柄の三つ揃い等)で図柄が停止表示されることで所謂「大当り」が発生し、これにより開閉扉が開放するよう作動制御されて、特別入賞口への入賞により多数の賞球を獲得し得るようになっている。特別入賞装置２４は、特別入賞口へのパチンコ球の入賞を検出する特別入賞センサ(図示せず)を備えている。この特別入賞センサは、中継基板４８を介して主制御装置に配線接続されており、特別入賞センサによるパチンコ球の検出を契機として所定数のパチンコ球が賞球として前記上下の球受け皿１５,１６に払い出される。
【００２０】
実施例では、前記遊技盤Ｍにおける枠状装飾体３１および始動入賞装置２３の配設位置より左側の位置に、遊技領域１３ａを流下するパチンコ球が入賞可能な複数(実施例では３つ)の第１普通入賞口２５が設けられた第１サイド装飾体２６が取り付けられると共に、枠状装飾体３１および始動入賞装置２３の配設位置より右側の位置に、遊技領域１３ａを流下するパチンコ球が入賞可能な第２普通入賞口２７が設けられた第２サイド装飾体２８が取り付けられている。そして、各普通入賞口２５,２７へ入賞したパチンコ球が普通入賞センサ２９(図６,図９に第１普通入賞口用のセンサのみを示している)で検出されることで、所定数のパチンコ球が賞球として前記上下の球受け皿１５,１６に払い出される。なお、実施例では第２サイド装飾体２８に特別入賞装置２４が配設されている。また、遊技領域１３ａの最下部位置には、該遊技領域１３ａに打ち出されたパチンコ球を排出するアウト口３０が設けられている。
【００２１】
(枠状装飾体３１について)
前記板部材１３の中央には、前後に貫通する大型の貫通孔が形成されており、該貫通孔に対して前後に開口する枠状の枠状装飾体(所謂センター役物)３１が嵌め込まれるように着脱可能に配設される。そして、前記設置部材２０の開口部２０ａから臨む前記図柄表示装置１８の表示部１８ａは、枠状装飾体３１における前後に開口する窓口３１ａを介して遊技盤Ｍの前側に露出して、該図柄表示装置１８の表示部１８ａで展開される図柄変動演出を前側から視認し得るようになっている。
【００２２】
前記枠状装飾体３１には、図２に示す如く、上縁部から左右両縁部に亘り、板部材１３の前面より前方に突出する円弧状の庇状部３１ｂが設けられており、前記遊技領域１３ａに打ち出されたパチンコ球を外周部の庇状部３１ｂで案内し得ると共に、該パチンコ球が枠状装飾体３１の窓口３１ａを横切って流下するのを該庇状部３１ｂで規制している。また枠状装飾体３１には、窓口３１ａの下側に、ステージ３２が配設されると共に、窓口３１ａの左側に、遊技領域１３ａに開口して該遊技領域１３ａを流下するパチンコ球を取込んでステージ３２に案内する球導入部３３が設けられ、該球導入部３３からステージ３２に通出されたパチンコ球は、ステージ３２上を左右および前後に転動した後に、前記各入賞装置２３,２４が配設されている遊技領域１３ａに排出される。
【００２３】
(設置部材２０について)
前記板部材１３の裏面には、前記図柄表示装置１８が着脱可能に配設されると共に、可動演出装置や発光装置等の遊技部品が配設される合成樹脂材で形成された前記設置部材２０が配設され、該設置部材２０に形成された前後に開口する開口部２０ａ(図３参照)を介して図柄表示装置１８の表示部１８ａを板部材１３(遊技盤Ｍ)の前側から視認し得るよう構成されている。前記設置部材２０は、図３に示すように、前方に開口する矩形箱状に形成された箱状本体３４と、該箱状本体３４の開口前端部に形成されて当該箱状本体３４の開口外側へ延出し、前記板部材１３の裏面に当接する固定部３５とから構成される。箱状本体３４は、板部材１３に対向する矩形板状に形成された対向面壁３６と、該対向面壁３６における上下左右の各縁部から前方に延出する画壁３７とから前方に開口するよう形成されて、各画壁３７の前端部から箱状本体３４の開口外側へ向けて延出するよう前記固定部３５が形成される。そして、固定部３５の前面を板部材１３の裏面に当接した状態で、固定部３５を板部材１３にネジ止めすることによって板部材１３に設置部材２０が固定される。
【００２４】
前記板部材１３の裏側に設置部材２０を取り付けた状態で、該設置部材２０の対向面壁３６と板部材１３との間に所要の設置空間が画成され、設置部材２０に配設された可動演出装置や発光装置等の遊技部品が該設置空間に収容されるようになっている。また、前記対向面壁３６には、図３に示す如く、上下および左右幅の大部分が開口する大型の前記開口部２０ａが形成されている。以下の説明において、対向面壁３６における開口部２０ａの下方に位置する部分については、上左右の部分と区別するために下対向面壁３６ａと指称する場合もある。
【００２５】
(下対向面壁３６ａの前側の構成について〕
図３および図４に示すように、前記下対向面壁３６ａの前側中央部には、左右方向に離間する一対の壁部３８ａ,３８ａからなる中央収容部３８が下対向面壁３６ａから前方に突出するよう形成されて、下対向面壁３６ａおよび中央収容部３８によって上下方向および前方に開口する装置用空間３９が画成される。そして、設置部材２０を板部材１３に取り付けた状態で、中央収容部３８(壁部３８ａ,３８ａ)の前端が板部材１３の裏面に当接すると共に、装置用空間３９に前記始動入賞装置２３の装置本体(図示せず)が収容されるようになっている。また、前記下対向面壁３６ａには、球通路固定部４０,４１が中央収容部３８を挟む左右位置に形成されており、各球通路固定部４０,４１に球通路部材(遊技機構成部材)４２,４３が取り付けられる。各球通路固定部４０,４１は、下対向面壁３６ａから前方に突出するよう形成されて、各球通路固定部４０,４１の前側に取り付けられる球通路部材４２,４３の前面が板部材１３の裏面に当接するよう構成される。なお、以下の説明では、中央収容部３８の左側に位置する球通路固定部を第１球通路固定部４０と指称すると共に、該第１球通路固定部４０に取り付けられる球通路部材を第１球通路部材４２と指称し、中央収容部３８の右側に位置する球通路固定部を第２球通路固定部４１と指称すると共に、該第２球通路固定部４１に取り付けられる球通路部材を第２球通路部材４３と指称する場合もある。
【００２６】
前記第１球通路固定部４０は、図４に示す如く、下対向面壁３６ａから箱状本体３４の前端部近傍まで延在する複数の固定用ボス４４と、これら複数の固定用ボス４４で囲われた内側に位置して下対向面壁３６ａから前側に固定用ボス４４より短い長さで突出するセンサ収容部(収容部)４５とを備え、複数の固定用ボス４４に前側から第１球通路部材４２をネジ止め固定することで、該第１球通路部材４２の後端がセンサ収容部４５の前側に離間して対向するよう構成される(図９参照)。そして、センサ収容部４５を下対向面壁３６ａから前側に突出するように形成することで、図６に示す如く、設置部材２０の後側に下対向面壁３６ａの後面で開口するセンサ用収容空間４６を画成している。なお、センサ収容部４５における第１球通路部材４２と対向する前部について、突出面部４５ａと指称するものとする。
【００２７】
前記第１球通路部材４２および第２球通路部材４３には、前方に開放する第１球通路４２ａおよび第２球通路４３ａが夫々画成されており、第１,第２球通路部材４２,４３が前記第１,第２球通路固定部４０,４１に夫々取り付けられた状態で、各球通路４２ａ,４３ａの開口前縁が前記固定部３５と同一面上に位置するようになっている。そして、設置部材２０を板部材１３に取り付けた状態で、第１球通路部材４２の第１球通路４２ａが、板部材１３に配設された前記第１サイド装飾体２６に設けられている第１普通入賞口２５に連通すると共に、第２球通路部材４３の第２球通路４３ａが、板部材１３に配設された前記第２サイド装飾体２８に設けられている第２普通入賞口２７に連通するよう構成される。なお、実施例では、第２球通路部材４３に、前記特別入賞口に連通する特別入賞用球通路４３ｂが設けられている。
【００２８】
図９に示す如く、前記第１球通路部材４２に第１センサ取付部４２ｂが形成されており、該第１センサ取付部４２ｂには、第１普通入賞口２５に入賞したパチンコ球を検出する前記普通入賞センサ(電気部品)２９が後側から着脱自在に取り付けられるよう構成される。実施例では、前記各第１普通入賞口２５に対応して３箇所に第１センサ取付部４２ｂが形成されており、これら３つの第１センサ取付部４２ｂは、上下方向および左右方向に離間して階段状に配置してある。また第１球通路部材４２には、所定位置(実施例では中段位置)の第１センサ取付部４２ｂに隣接して第２センサ取付部４２ｃが形成されており、該第２センサ取付部４２ｃには、磁気センサ(電気部品)４７が後側から着脱自在に取り付けられる。この磁気センサ４７は、磁石等から発せられる磁気を検出するものであって、遊技盤Ｍに磁石等を近付けて遊技領域１３ａを流下するパチンコ球を誘導する不正行為を検出するべく機能する。
【００２９】
前記センサ収容部４５の突出面部４５ａには、図４に示す如く、前後方向に開放するセンサ挿通孔(開口部)４５ｂが形成されている。実施例では、センサ収容部４５における上段位置の第１センサ取付部４２ｂに対応する位置と、中段位置の第１センサ取付部４２ｂおよび第２センサ取付部４２ｃに対応する位置との２箇所にセンサ挿通孔４５ｂを形成してある。そして、第１球通路部材４２を第１球通路固定部４０に取り付けた状態で、上段位置の第１センサ取付部４２ｂに取り付けられた普通入賞センサ２９と、中段位置の第１センサ取付部４２ｂおよび第２センサ取付部４２ｃに取り付けられた普通入賞センサ２９および磁気センサ４７における第１球通路部材４２の後端から後方に延出する部分が、対応するセンサ挿通孔４５ｂを介して前記センサ用収容空間４６内に延出して収容されるようになっている(図９参照)。普通入賞センサ２９は、設置部材２０に配設される中継基板４８を介して前記主制御装置に電気的に接続され、該普通入賞センサ２９がパチンコ球を検出すると、検出信号が主制御装置に出力されるようになっている。そして、主制御装置は、普通入賞センサ２９から検出信号が入力されると、図示しない球払出装置に制御信号を出力し、該球払出装置に所定数の賞球を払い出させるよう構成される。なお、第１球通路部材４２における下段位置の第１センサ取付部４２ｂは、該第１センサ取付部４２ｂに取り付けられた普通入賞センサ２９が第１球通路固定部４０のセンサ収容部４５に干渉しない位置に設けられる。
【００３０】
(下対向面壁３６ａの後側の構成について)
図５に示すように、前記下対向面壁３６ａの後面には、左右方向の略中央位置に中継基板保持部４９が設けられ、該中継基板保持部４９に前記中継基板４８が着脱自在に配設される。中継基板保持部４９は、前記第１球通路固定部４０の形成位置より右側に位置し、前記センサ用収容空間４６が該中継基板保持部４９の左側において後方へ開口している。なお、下対向面壁３６ａの後面には、中継基板保持部４９の左側において前側に一段凹んだ設置凹部５０が設けられ、該設置凹部５０内に前記センサ用収容空間４６の後方開口４６ａ(後述)が後方へ開口するよう構成される(図６参照)。また、下対向面壁３６ａの後面には、設置凹部５０の右側上部(中継基板保持部側の上部)に、該設置凹部５０に連通する側凹部５１が設置凹部５０と同じ深さで凹設されており、該側凹部５１に後述する不正防止部材５８の側延部５９ｂが収容されるようになっている。更に、下対向面壁３６ａの後面には、設置凹部５０の右側下部から後方に突出する第１被位置決め部(被位置決め部)５２が設けられている。この第１被位置決め部５２には、上方に開口する係合受部５２ａが設けられており、該係合受部５２ａに、後述する制御装置６４の第１位置決め部６５ａが係脱自在に係合するよう構成される。また、設置凹部５０における後方開口４６ａの左上隅の上方位置に、後方に向けて突出する位置決め突起５３が設けられている。なお、下対向面壁３６ａの後面には、側凹部５１と第１被位置決め部５２との間に、設置凹部５１よりも前方に凹むと共に後方に開口する配線用凹部５４がセンサ用収容空間４６と連通するように形成されており、該センサ用収容空間４６に後端部が収容された前記普通入賞センサ２９や磁気センサ４７から導出する配線を、配線用凹部５４を介してセンサ用収容空間４６から外部に引き出し得るようにしてある。
【００３１】
前記中継基板保持部４９は、図５に示す如く、前記下対向面壁３６ａの後面から前側に略矩形状に凹んだ基板収容凹部４９ａと、該基板収容凹部４９ａにおける右側縁から上下の縁部に亘って後方に突出する左方に開放するコ字状の突壁４９ｂと、突壁４９ｂの上下隅部に夫々設けられ、突壁４９ｂの後端から左方(基板収容凹部側)に延出する押え片４９ｃ,４９ｃと、基板収容凹部４９ａの左側縁に隣接して設けられて後方に突出する基板フック４９ｄとを備える。そして、中継基板４８の右側の上下隅部を、対応する押え片４９ｃ,４９ｃの前側に臨ませて、中継基板４８の左部側を前方へ押すことで、基板フック４９ｄが中継基板４８の後面に係止して、中継基板４８が基板収容凹部４９ａに収容された状態で中継基板保持部４９に着脱自在に取り付けられる。中継基板４８には、前記磁気センサ４７から導出する配線や始動入賞センサ、特別入賞センサおよび普通入賞センサ２９等の配線(何れも図示せず)が接続される。また、中継基板４８は、前記主制御装置と電気的に接続されており、これらセンサ２９,４７を主制御装置に中継接続している。
【００３２】
前記下対向面壁３６ａの後面には、左右方向の両端部近傍に、主制御装置(遊技機構成部材)を着脱自在に取り付けるための取着部５５が設けられており、該取着部５５,５５を介して主制御装置が下対向面壁３６ａの後側に取り付けられるよう構成される。なお、下対向面壁３６ａに主制御装置を取り付けた状態で、該主制御装置は、前記中継基板保持部４９に取り付けた中継基板４８および前記設置凹部５０の後方に離間して前後に重なる位置関係となり、前記センサ用収容空間４６の後方開口４６ａが主制御装置により後側から覆われて設置部材２０の後方から視認不能となる。
【００３３】
(センサ用収容空間４６について)
図６に示すように、前記センサ用収容空間(空間)４６は、上下左右の内側面５６ａ,５６ｂ,５６ｃ,５６ｄにより画成され、略矩形状の後方開口(開口)４６ａが前記設置凹部５０において後方に開口している。後方開口４６ａは、設置凹部５０の上下方向および左右方向の寸法より小さい略矩形状に形成されると共に、該設置凹部５０の上下方向の中央で右側に偏った位置で開口している。なお、センサ用収容空間４６の上下左右の内側面については、上内側面５６ａ、下内側面５６ｂ、左内側面５６ｃおよび右内側面５６ｄと夫々指称する。センサ用収容空間４６の上内側面５６ａおよび左内側面５６ｃには、後方開口４６ａから前方に所定長さだけ離間した位置に、内側に突出する段部５７が設けられ、該段部５７によってセンサ用収容空間４６は、段部５７より後側で後方開口４６ａまでの領域の第１空間４６ｂと、段部５７と対応する位置の領域で第１空間４６ｂより狭い第２空間４６ｃとに分けられている。すなわち、センサ用収容空間４６は、後側より前側が狭くなる段状に形成されている。
【００３４】
(不正部品について)
ここで、前記下対向面壁３６ａに取り付けられた主制御装置で後側か覆われるセンサ用収容空間４６には、例えば中継基板４８に接続された前記各種センサ２９を操作したり、主制御装置に信号を出力して、予め設定された制御とは異なる制御を行わせる等を目的とした不正部品が設置される虞がある。そこで、実施例に係るパチンコ機１０では、センサ用収容空間４６を埋める不正防止部材５８をセンサ収容部４５に取り付けることで、規定の不正部品の取り付けを防止するよう構成されている。ここで、規定の不正部品とは、予め設定されたサイズ(体積)を有する不正部品を指しており、当該サイズの不正部品については、不正防止部材５８の存在によりセンサ用収容空間４６への設置が阻止される。また、不正部品としては、基板や装置、器具等の電気信号を送出可能な電子部品が含まれる。
【００３５】
(不正防止部材５８について)
図６,図７に示すように、前記不正防止部材５８は、板状の基部５９と、該基部５９の前面から前方に突出する矩形枠状の挿入部６０と、基部５９に設けられて後述する制御装置６４を着脱自在に取り付けるための被固定部６１とを備える。また不正防止部材５８は、前記センサ収容部４５に設けた被係止部４５ｃ,４５ｃに係脱自在に係止する係止部(取付部)６２,６２を備え、該係止部６２,６２を被係止部４５ｃ,４５ｃに係止することで、該不正防止部材５８がセンサ収容部４５に取り付けられるよう構成される。実施例では、被係止部４５ｃは、図９に示す如く、センサ収容空間４６の第１空間４６ｂを画成する前記上内側面５６ａおよび下内側面５６ｂに、孔や溝を該内側面５６ａ,５６ｂの後端より手側まで設けることで、該孔や溝の後端を画成する壁で構成される。これに対し、係止部６２は、挿入部６０に設けられて上下に離間し、相互に近接・離間方向に弾性変形可能な係止フックで構成され、図９に示す如く、該係止フックに設けた係止爪６２ａ,６２ａが孔および溝の後端を画成する被係止部４５ｃ,４５ｃに係止することで、不正防止部材５８がセンサ収容部４５に取り付けられるよう構成される。なお、基部５９には、図６に示す如く、各係止部６２と対応する位置に前後に貫通する貫通孔５９ａが夫々設けられ、係止部６２の後端部が貫通孔５９ａから基部５９の後方に延出して、該係止部６２を基部５９の後側から取り扱い得るようになっている。
【００３６】
前記不正防止部材５８の挿入部６０は、図７に示す如く、前記基部５９より一回り小さい寸法とされて、該挿入部６０の上下左右の縁部から基部５９が夫々所定長さで外方に延在するようになっている。基部５９は、前記センサ用収容空間４６の後方開口４６ａを覆い得る寸法で、かつ前記設置凹部５０に収容可能な寸法に設定されており、不正防止部材５８がセンサ収容部４５に前記被係止部４５ｃ,４５ｃおよび係止部６２,６２を介して取り付けられた状態で、基部５９が設置凹部５０に収容されると共に、該基部５９の前面が設置凹部５０の後面に略当接して後方開口４６ａを塞ぐよう構成される。これに対し、挿入部６０は、センサ用収容空間４６における前記後側の第１空間４６ｂに収容可能で該第１空間４６ｂを埋めることが可能な寸法に設定される。すなわち、不正防止部材５８がセンサ収容部４５に被係止部４５ｃ,４５ｃおよび係止部６２,６２を介して取り付けられた状態で、図９に示す如く、挿入部６０が第１空間４６ｂに収容されて該第１空間４６ｂを埋めるよう構成される。ここで、基部５９が後方開口４６ａを「塞ぐ」とは、基部５９が後方開口４６ａを完全に閉塞した状態に加え、該基部５９と後方開口４６ａの縁部との間に前記規定の不正部品を差し込むのが不能となる程度の隙間が生じた状態を含む意味である。また、挿入部６０が第１空間４６ｂを「埋める」とは、挿入部６０が第１空間４６ｂを隙間なく埋めた状態に加え、該挿入部６０の側壁部と第１空間４６ｂを画成する内側面５６ａ,５６ｂ,５６ｃ,５６ｄとの間に規定の不正部品を差し込むのが不能となる程度の隙間が生じた状態を含む意味である。なお、以下の説明では、挿入部６０の上下左右の側壁部について区別する場合には、上側壁部６０ａ、下側壁部６０ｂ、左側壁部６０ｃおよび右側壁部６０ｄと夫々指称する場合がある。
【００３７】
前記不正防止部材５８の挿入部６０には、側壁部６０ａ,６０ｂ,６０ｃ,６０ｄの内側に複数の仕切壁６０ｅが格子状に配設されて、該側壁部６０ａ,６０ｂ,６０ｃ,６０ｄで囲われた空間を、前記規定の不正部品の設置が不能となる寸法の小空間に分割している。すなわち、不正防止部材５８における挿入部６０の内部空間は、仕切壁６０ｅにより小空間に分割されて、挿入部６０の内部空間への前記不正部品の設置は不能となる。また挿入部６０には、複数(実施例では２つ)の延出部６０ｆが前方に延出して設けられており、不正防止部材５８がセンサ収容部４５に取り付けられた状態で、該延出部６０ｆがセンサ用収容空間４６における前側の第２空間４６ｃに挿入されるよう構成される(図９参照)。この延出部６０ｆは、前記センサ挿通孔４５ｂを介してセンサ用収容空間４６の第２空間４６ｃに挿入されている普通入賞センサ２９および磁気センサ４７と干渉しない位置に設けられる。また、延出部６０ｆの寸法は、該延出部６０ｆが第２空間４６ｃに挿入された状態で、該第２空間４６ｃを規定の不正部品が収容不能な状態で埋めるよう設定される。すなわち、不正防止部材５８がセンサ収容部４５に取り付けられた状態で、センサ用収容空間４６(第１空間４６ｂおよび第２空間４６ｃ)は、挿入部６０および延出部６０ｆによって埋められている。なお、挿入部６０における延出部６０ｆが設けられていない部分が、不正防止部材５８が普通入賞センサ２９および磁気センサ４７に干渉するのを避ける逃げ部として機能している。
【００３８】
前記不正防止部材５８がセンサ収容部４５に取り付けられた状態での不正防止部材５８とセンサ用収容空間４６との関係をより具体的に説明すると、基部５９の前面が設置凹部５０における後方開口４６ａの外周縁部の後面に当接すると共に、挿入部６０の前面が、センサ用収容空間４６の第２空間４６ｃを画成している段部５７の後面に対向する。また、挿入部６０の上側壁部６０ａ、下側壁部６０ｂ、左側壁部６０ｃおよび右側壁部６０ｄが、センサ用収容空間４６の第１空間４６ｂを画成している上内側面５６ａ、下内側面５６ｂ、左内側面５６ｃおよび右内側面５６ｄに夫々対向する。更に、挿入部６０から前方に延出する延出部６０ｆの前端が、前記突出面部４５ａの後面に対向すると共に、該延出部６０ｆにおける上下右左の外面が、センサ用収容空間４６の第２空間４６ｃを画成している上内側面５６ａ、下内側面５６ｂ、左内側面５６ｃ、右内側面５６ｄおよび第２空間４６ｃに挿入されている磁気センサ４７の外表面に対向する。更にまた、前記逃げ部に位置する普通入賞センサ２９および磁気センサ４７の後端と挿入部６０の前面とが対向する。ここで、挿入部６０が段部５７に対向する、各側壁部６０ａ,６０ｂ,６０ｃ,６０ｄがセンサ収容空間４６の内側面５６ａ,５６ｂ,５６ｃ,５６ｄに対向する、延出部６０ｆの外面が、各内側面５６ａ,５６ｂ,５６ｃ,５６ｄおよび磁気センサ４７に対向する、挿入部６０がセンサ２９,４７と対向するとは、前記規定の不正部品を差し込むのが不能となる程度に挿入部６０が段部５７に近接または当接した状態、各側壁部６０ａ,６０ｂ,６０ｃ,６０ｄが対応の内側面５６ａ,５６ｂ,５６ｃ,５６ｄに近接または当接した状態および延出部６０ｆの外面が各内側面５６ａ,５６ｂ,５６ｃ,５６ｄおよび磁気センサ４７に近接または当接した状態、挿入部６０がセンサ２９,４７に近接または当接した状態をいう。すなわち、不正防止部材５８をセンサ収容部４５に取り付けることで、基部５９が後方開口４６ａを塞ぐと共に、挿入部６０および延出部６０ｆが対応する第１空間４６ｂおよび第２空間４６ｃを埋めて、センサ用収容空間４６への不正部品の設置は不能となる。
【００３９】
前記不正防止部材５８がセンサ収容部４５に取り付けられた状態で、センサ用収容空間４６は、前記配線用凹部５４を介して外部後方に連通しており、前記普通入賞センサ２９および磁気センサ４７に接続する配線は、センサ用収容空間４６から配線用凹部５４を介して外部後方に引き出し可能に構成される。そして、配線用凹部５４から引き出された配線は、前記中継基板４８に接続され、普通入賞センサ２９および磁気センサ４７は、中継基板４８を介して前記主制御装置に電気的に接続される。なお、センサ用収容空間４６と配線用凹部５４との連通部の大きさは、配線の挿通は許容するが、前記規定の不正部品の設置は不能な寸法に設定されている。
【００４０】
前記不正防止部材５８の基部５９には、図７に示す如く、右側縁の上部から右側方に延出する側延部５９ｂが設けられており、該側延部５９ｂが前記下対向面壁３６ａの後面に設けた側凹部５１に収容されるようになっている。また、基部５９における上縁部に、後述する制御装置６４の前面が当接する上支持部(支持部)５９ｃ,５９ｃが後方に向けて突設されて、左右方向に所定長さで延在している。実施例では、上支持部５９ｃは、図６に示す如く、左右方向に離間して２つ設けられており、右側の上支持部５９ｃは、側延部５９ｂの延出端から左方に向けて所定長さで延在し、左側の上支持部５９ｃは、右側の上支持部５９ｃの左端から離間する位置から左方に向けて所定長さで延在している。左側の上支持部５８ｃの左端は、基部５９の左側縁より所定長さ右側に位置して、該左側の上支持部５８ｃの左端と基部５９の左側縁との間の基部５９に、前記設置凹部５０に設けた位置決め突起５３が挿脱可能な位置決め孔５９ｄが前後方向に貫通して形成されている。なお、上支持部５９ｃは、左右に分割されることなく連続するものであってもよい。
【００４１】
前記基部５９には、右側の上支持部５９ｃの右端部および左側の上支持部５９ｃの左端部に対応する位置において、該上支持部５９ｃ,５９ｃより後方に延出する位置決め部５９ｅ,５９ｅが設けられている。この位置決め部５９ｅ,５９ｅは、上支持部５９ｃ,５９ｃに前面を当接した制御装置６４の左右側面に当接して、該制御装置６４を左右方向に位置決めするべく機能する。また、上支持部５９ｃ,５９ｃの下面に、左右方向に離間して複数の補強リブ５９ｆが突設されており、該補強リブ５９ｆは基板５９の後面に接続されている。
【００４２】
前記基部５９には、上支持部５９ｃ,５９ｃが設けられる上縁部に偏って前記被固定部６１が設けられている。この被固定部６１は、図６,図７に示す如く、基部５９から上方(外方)に突出する筒状に形成されたものであって、該被固定部６１には、前後方向に開口する係止孔６１ａが設けられている。実施例では、２つの上支持部５９ｃ,５９ｃの間に被固定部６１が設けられる。また基部５９には、下縁部から下方(外方)に突出する第２被位置決め部６３が、被固定部６１より左側に偏倚して設けられる。この第２被位置決め部６３は、基部５９の後面より後方に延出する部分に上方に開口する係合受部６３ａが設けられており、該係合受部６３ａに、制御装置６４の後述する第２位置決め部６５ｂが係脱自在に係合し得るよう構成される。更に、基部５９の下縁部には、後方に向けて突出して左右方向に所定長さで延在する下補強リブ５９ｇが設けられている。また、下補強リブ５９ｇの左端部に前記第２被位置決め部６３が連設されると共に、該下補強リブ５９ｇにおける第２被位置決め部６３の連設部分に、制御装置６４の前面が当接する下支持部５９ｈが設けられている。前記上支持部５９ｃおよび下支持部５９ｈの基部後面からの突出寸法は、前記係止部６２における基部後面からの延出寸法より大きく設定されて、上下の支持部５９ｃ,５９ｈに前面が当接した制御装置６４の前面が、係止部６２に干渉するのを防止している。なお、基部５９の右下角部に、前記下対向面３６ａの後面に設けた第１被位置決め部５２との干渉を避ける切欠部５９ｉが設けてある。
【００４３】
前記基部５９の後面には、図６に示す如く、複数の突部７２が設けられている。実施例では、基部５９における上下の支持部５９ｃ,５９ｈの形成位置間の上下方向の略中間位置において、左右方向に離間して２つの突部７２が、不正防止部材５８に取り付けられた制御装置６４と前後に重なる位置に設けられている。この突部７２の突出寸法は、前記係止部６２における基部後面からの延出寸法より大きく、かつ前記上下の支持部５９ｃ,５９ｈの基部後面からの突出寸法より小さく設定される。そして、この突部７２は、上下の支持部５９ｃ,５９ｈで上下の端部が支持されている制御装置６４の上下方向の中間位置が前方に押された際に、該制御装置６４の前面に当接することで、制御装置６４が係止部６２に当接するのを防止するべく機能する。また、突部７２は、基部５９と制御装置６４との間に形成される隙間を分割することで、該隙間に不正部品が設置されるのを不能とするべく機能する。なお、前記挿入部６０の側壁部６０ａ,６０ｂ,６０ｃ,６０ｄには、前後方向に延在する複数の補強リブ７３が設けてある。
【００４４】
(制御装置６４について)
前記不正防止部材５８の後側には、制御装置(遊技機構成部材)６４が着脱自在に取り付けられる。この制御装置６４は、パチンコ機１０を制御する制御基板(図示せず)を基板ケース６５に収容して構成された装置である。基板ケース６５は、図６,図７に示す如く、前後に分割可能なベース体６６とカバー体６７とを係合手段によって着脱自在に係合することで組立てられて、該ベース体６６とカバー体６７との間に画成される空間に制御基板を収容するよう構成される。なお、カバー体６７には、制御基板に設けられた配線接続用のコネクタを外部に露出するためのコネクタ開口部６７ａが複数設けられている。
【００４５】
前記基板ケース６５の上端部には、上方(外方)に突出する保持部６８が設けられ、該保持部６８にナイラッチ等の係止手段としての固定具６９が保持されている。この固定具６９は、図９に示す如く、拡張部材７０と、該拡張部材７０の中心に穿設された孔部に挿通されるプランジャー部材７１とを備え、拡張部材７０が保持部６８に設けた貫通孔６８ａに挿通された状態で該固定具６９が保持部６８に対して脱落しないように保持される。固定具６９は、拡張部材７０の一部が保持部６８より前方に延出した状態で保持されており、拡張部材７０は、プランジャー部材７１を前方に押すことで外方へ拡開し、拡張部材７０の拡開状態でプランジャー部材７１を後方に引くことで該拡張部材７０が元の縮径状態に戻るよう構成される。固定具６９の拡張部材７０は、縮径状態では前記不正防止部材５８の被固定部６１における係止孔６１ａに挿脱可能であると共に、係止孔６１ａに挿入された縮径状態の拡張部材７０を拡開状態とすることで係止孔６１ａの内側に係合して抜き外しができないよう構成される。なお、図９において符号７１ａは、プランジャー部材７１の後端部に設けられた操作部を示す。
【００４６】
前記基板ケース６５の下端部には、左右方向に離間して第１位置決め部(位置決め部)６５ａおよび第２位置決め部６５ｂが突設されている。これら第１位置決め部６５ａおよび第２位置決め部６５ｂは、前記下対向面壁３６ａに設けた前記第１被位置決め部５２の係合受部５２ａおよび不正防止部材５８に設けた第２被位置決め部６３の係合受部６３ａの夫々に係脱自在に係合するよう構成される。第１位置決め部６５ａおよび第２位置決め部６５ｂが対応する係合受部５２ａ,６３ａに係合した状態で、不正防止部材５８に対して基板ケース６５(制御装置６４)の前後、左右および下方への移動が規制された状態に位置決めされると共に、基板ケース６５の保持部６８に保持された固定具６９における該保持部６８から前方に延出する拡張部材７０が、不正防止部材５８の係止孔６１ａに後方から挿脱可能な位置に臨むようになっている。そして、縮径状態の拡張部材７０を係止孔６１ａに挿入して拡開状態とすることで該拡張部材７０が係止孔６１ａの内側に係止し、これによって不正防止部材５８に対して制御装置６４が位置決めされた状態で取り付けられる。また、不正防止部材５８の後側に制御装置６４を取り付けた状態で、不正防止部材５８をセンサ収容部４５に取り付けるための前記係止部６２,６２(基部５９の貫通孔５９ａ,５９ａ)が該制御装置６４で後側から覆われる(図９参照)。
【００４７】
〔実施例の作用〕
次に、前述した実施例に係るパチンコ機１０の作用について、以下説明する。
【００４８】
前記第１球通路部材４２を第１球通路固定部４０に取り付ける場合には、複数の固定用ボス４４の前端に第１球通路部材４２をネジ止めすることで、第１球通路部材４２の後面が前記突出面部４５ａと対向する状態で取り付けられる。このとき、第１球通路部材４２の上段部および中段部の各第１センサ取付部４２ｂに取り付けた普通入賞センサ２９および第２センサ取付部４２ｃに取り付けた磁気センサ４７の後端部が、図９に示す如く、前記突出面部４５ａに形成した対応するセンサ挿通孔４５ｂを介してセンサ用収容空間４６の第２空間４６ｃに収容される。ここで、第１球通路固定部４０のセンサ収容部４５は、設置部材２０の下対向面壁３６ａから前方に突出するよう形成されているから、図９に示す如く、第１球通路部材４２の前面を設置部材２０の開口前端側に臨ませた状態で、普通入賞センサ２９および磁気センサ４７の後端部をセンサ用収容空間４６に臨ませることができる。すなわち、センサ収容部４５に前記不正防止部材５８を取り付けていない状態において、板部材１３から設置部材２０を取り外すことなくセンサ用収容空間４６の後方開口４６ａを介して普通入賞センサ２９および磁気センサ４７を第１球通路部材４２に対して着脱することができる。
【００４９】
前記センサ収容部４５に不正防止部材５８を配設する際には、該不正防止部材５８の延出部６０ｆおよび挿入部６０をセンサ用収容空間４６に後方開口４６ａから挿入する。このとき、前記一対の係止部６２,６２の係止爪６２ａ,６２ａがセンサ用収容空間４６における第１空間４６ｂを画成する上内側面５６ａおよび下内側面５６ｂに当接することで相互に近接するように弾性変形した状態となる。そして、不正防止部材５８を前記基部５９の前面が前記段部５７の前面に当接する位置まで押し込むと、係止部６２,６２の係止爪６２ａ,６２ａが、被係止部４５ｃを形成するために各内側面５６ａ,５６ｂに形成した孔や溝に臨むことで弾性復帰し、該係止爪６２ａ,６２ａが被係止部４５ｃ,４５ｃに係止することで、不正防止部材５８はセンサ収容部４５に対して抜け止めされた状態で取り付けられる(図９参照)。また、不正防止部材５８は、前記位置決め孔５９ｄに設置凹部５０の位置決め突起５３が挿入されると共に、前記側延部５９ｂが下対向面壁３６ａの側凹部５１に収容されることで、上下方向および左右方向に位置決めされる。なお、係止部６２,６２の後端部は、基部５９の貫通孔５９ａ,５９ａを介して基部５９から後方に延出しているので、係止爪６２ａ,６２ａの被係止部４５ｃ,４５ｃに対する係止状態を解除する方向に両係止部６２,６２を弾性変形することで、不正防止部材５８をセンサ収容部４５から取り外すことができる。
【００５０】
前記センサ収容部４５に不正防止部材５８を取り付けた状態では、図９に示す如く、基部５９が後方開口４６ａを塞ぐと共に、挿入部６０の前面が、センサ用収容空間４６を画成する前記段部５７の後面に対向する。また、挿入部６０の上下左右の各側壁部６０ａ,６０ｂ,６０ｃ,６０ｄが、第１空間４６ｂを画成する対応の内側面５６ａ,５６ｂ,５６ｃ,５６ｄに対向し、センサ用収容空間４６における後側の第１空間４６ｂが不正防止部材５８の挿入部６０で埋められる。更に、挿入部６０から前方に延出する複数の延出部６０ｆが、センサ用収容空間４６における前側の第２空間４６ｃに挿入されて、該第２空間４６ｃが延出部６０ｆによって埋められる。すなわち、センサ収容部４５に不正防止部材５８を取り付けた状態では、センサ用収容空間４６は該不正防止部材５８によって埋められて、該センサ収容空間４６に不正部品を設置するのは不能とされる。また、不正防止部材５８における挿入部６０の内部空間は、仕切壁６０ｅにより小空間に分割されているから、挿入部６０の内部空間に不正部品が設置されることもない。更に、延出部６０ｆは、第２空間４６ｃに収容されている前記普通入賞センサ２９および磁気センサ４７に干渉することなく対向するよう構成されているので、該センサ２９,４７の第２空間４６ｃへの収容を許容しつつ、該第２空間４６ｃへの不正部品の設置を効果的に防止し得る。
【００５１】
また、前記普通入賞センサ２９および磁気センサ４７に接続する配線は、前記センサ収容部４５に不正防止部材５８を取り付けた状態で、前記配線用凹部５４を介して外部後方に引き出して、前記中継基板４８に接続することができる。そして、センサ用収容空間４６と配線用凹部５４との連通部の大きさは、配線の挿通は許容するが、不正部品の設置は不能な寸法に設定されているので、センサ用収容空間４６から外方への配線の引き出しを許容しつつ、不正部品の設置を不能とし得る。
【００５２】
前記不正防止部材５８に対して制御装置６４を取り付ける場合は、該制御装置６４の第１および第２位置決め部６５ａ,６５ｂを、下対向面壁３６ａおよび不正防止部材５８に設けた対応する第１および第２被位置決め部５２,６３の係合受部５２ａ,６３ａに上側から係合させる。この状態で、制御装置６４に設けた前記固定具６９の縮径状態の拡張部材７０の前端部を、不正防止部材５８の被固定部６１の係止孔６１ａに後側から挿入する。次に、固定具６９のプランジャー部材７１を押し込むことで、拡張部材７０が拡開状態となって係止孔６１ａの内側に係止することで、不正防止部材５８に対して制御装置６４が位置決めされた状態で取り付けられる。
【００５３】
前記不正防止部材５８の後側に制御装置６４を取り付けると、センサ用収容空間４６は、制御装置６４に後方から覆われて、前記設置部材２０の後方から視認不能となる(図５参照)。しかるに、センサ用収容空間４６は、不正防止部材５８により埋められているから、当該空間４６に不正部品が設置されることはなく、長期に亘って不正行為が継続する事態を阻止し得る。また、制御装置６４を取り付けるための被固定部６１を不正防止部材５８に設けているので、不正防止部材５８を取り外した状態では制御装置６４を取り付けることはできない。すなわち、不正行為者が不正防止部材５８を取り外してセンサ用収容空間４６に不正部品を設置した場合は、制御装置６４を正常な状態で下対向面壁３６ａに取り付けることができないので、制御装置６４が取り付けられていないことで不正行為を発見することが容易となる。
【００５４】
ここで、前記センサ用収容空間４６における普通入賞センサ２９および磁気センサ４７の後端部が収容されている第２空間４６ｃには、不正防止部材５８をセンサ収容部４５から取り外した状態では、該センサ２９,４７と内側面５６ａ,５６ｂ,５６ｃ,５６ｄとの間に所要の隙間が画成される。このため、該隙間に不正部品が設置されることが考えられる。しかるに、実施例の不正防止部材５８には、前記第１空間４６ｂを埋める挿入部６０から前方に突出する延出部６０ｆが設けてあるので、前記隙間に不正部品が設置されていると、該不正部品に延出部６０ｆが干渉して前記係止部６２が被係止部４５ｃに係止する位置まで延出部６０ｆを第２空間４６ｃに挿入することができない。すなわち、不正防止部材５８がセンサ収容部４５に取り付けられないことで、第２空間４６ｃ(センサ用収容空間４６)に不正部品が設置されたのを簡単に発見できる。
【００５５】
実施例では、前記制御装置６４を位置決めするための被位置決め部５２,６３を不正防止部材５８のみでなく、下対向面壁３６ａにも設けているので、該下対向面壁３６ａに対して制御装置６４を正しい位置に取り付けることができる。また、被位置決め部５２,６３の一部を下対向面壁３６ａに設けているので、制御装置６４に負荷が加わった際には、不正防止部材５８のみでなく設置部材２０でも該負荷が受けることができ、不正防止部材５８に大きな負荷が加わるのを抑制し得る。前記不正防止部材５８における被固定部６１が設けられている基部５９の上縁部に複数の補強リブ５９ｆを設けているので、被固定部６１の強度を向上することができ、不正防止部材５８に対する制御装置６４の安定した取り付けができる。また、不正防止部材５８に対して制御装置６４を着脱する際に、実施例のように前記固定具６９のプランジャー部材７１を操作部７１ａを持って押したり引いたりする構成であっても、基部５９における被固定部６１が設けられる部位は補強リブ５９ｆによって補強されているので、プランジャー部材７１の操作時に加わる負荷によって不正防止部材５８が損傷するのを防止することができる。
【００５６】
実施例のパチンコ機１０では、前記不正防止部材５８の後側に制御装置６４を取り付けた状態で、不正防止部材５８をセンサ収容部４５に取り付けるための前記係止部６２,６２が該制御装置６４で後側から覆われるので、制御装置６４を取り外さない限り不正防止部材５８をセンサ収容部４５から取り外すことができない。すなわち、不正部品をセンサ用収容空間４６に設置するためには、制御装置６４を不正防止部材５８から取り外す作業を行わなければならないので、この作業に手間が掛かり、不正行為を抑制することができる。
【００５７】
(変更例)
本願は前述した実施例の構成に限定されるものではなく、その他の構成を適宜に採用することができる。
(1) 実施例では、センサ用収容空間(空間)を前後で内容積が変化する段状としたが、内容積が変化しない形状であってもよい。
(2) 実施例では、不正防止部材および制御装置(遊技機構成部材)の上端部に被固定部および固定具(係止手段)を設けたが、該被固定部および固定具(係止手段)を設ける位置は下端部あるいは左右何れかの端部であってもよい。
(3) 実施例では、不正防止部材と下対向面壁(設置部材)とに、制御装置(遊技機構成部材)を位置決めするための被位置決め部を夫々設けたが、被位置決め部を不正防止部材および下対向面壁(設置部材)の何れか一方にのみ設ける構造を採用し得る。
(4) 実施例では、不正防止部材の挿入部や延出部は前方に開放する形状としたが、前側を閉じた構成としてもよい。
(5) 実施例では、センサ用収容空間(空間)に普通入賞センサや磁気センサを収容する場合で説明したが、該空間に収容される電気部品としては他のセンサであっても、あるいはセンサ以外の電気部品であってもよい。
(6) 実施例では、不正防止部材の後側に取り付けられる遊技機構成部材として、制御基板を基板ケースに収容した制御装置を挙げたが、制御基板(遊技機構成部材)を直に不正防止部材に取り付ける構成や、その他の中継基板を取り付ける構成を採用し得る。不正防止部材に取り付けられる遊技機構成部材は、制御装置や中継基板等の電気的な部品に限られるものでなく、遊技機を構成する各種の部材であればよい。
(7) 実施例では、不正防止部材の後側に制御装置を係止するための係止手段として、出没式の固定具を挙げたが、係止部を所定角度回転することで、被固定部に対する係止位置と係止解除位置との間を移動する回転式の固定具、その他公知の各種固定具を用いることができる。
(8) 実施例では、センサ収容部に不正防止部材を取り付ける取付部として係止フックを挙げたが、該不正防止部材をセンサ収容部にネジや、その他の手段によって取り付ける構成を採用し得る。
(9) 実施例では、不正防止部材を遊技盤を構成する設置部材に取り付けるよう構成したが、中枠等の他の部材に設けられた収容部の空間を不正部品の設置が不能となる状態で埋めるように該部材に不正防止部材を取り付けるようにしてもよい。
(10) 遊技機としては、パチンコ機に限られるものではなく、アレンジボール機やパチンコ球を用いたスロットマシン等、その他各種の遊技機であってもよい。
【００５８】
実施例および変更例に記載された遊技機からは、下記の付記に記載した構成に係る遊技機を特定可能である。
〔付記〕
請求項１〜４の何れか一項の遊技機において、
前記不正防止部材(58)に、前記収容部(45)の空間(46)内に臨む電気部品(29,47)に干渉するのを避ける逃げ部が設けられ、前記空間(46)に不正部品が設置された場合には該不正部品に不正防止部材(58)が干渉して前記収容部(45)への不正防止部材(58)の取り付けが不能となるよう構成される。
付記の遊技機によれば、空間に不正部品が設置されたのを簡単に発見できる。
【符号の説明】
【００５９】
１３ 板部材
１３ａ  遊技領域
２０  設置部材
２９  普通入賞センサ(電気部品)
４５  センサ収容部(収容部)
４５ｂ  センサ挿通孔(開口部）
４６  センサ用収容空間(空間)
４６ａ  後方開口(開口)
４７  磁気センサ(電気部品)
５２  第１被位置決め部(被位置決め部)
５６ａ  上内側面(内側面)
５６ｂ  下内側面(内側面)
５６ｃ  左内側面(内側面)
５６ｄ  右内側面(内側面)
５８  不正防止部材
５９  基部
５９ｃ  上支持部(支持部)
５９ｆ  補強リブ
６０ａ  上側壁部(側壁部)
６０ｂ  下側壁部(側壁部)
６０ｃ  左側壁部(側壁部)
６０ｄ  右側壁部(側壁部)
６１  被固定部
６２  係止部(取付部)
６４  制御装置(遊技機構成部材)
６５ａ  第１位置決め部(位置決め部)
６９  固定具(係止手段)
【図１】
2014239775.tif 000003
【図２】
2014239775.tif 000004
【図３】
2014239775.tif 000005
【図４】
2014239775.tif 000006
【図５】
2014239775.tif 000007
【図６】
2014239775.tif 000008
【図７】
2014239775.tif 000009
【図８】
2014239775.tif 000010
【図９】
2014239775.tif 000011